(57)【要約】【課題】少なくとも１つの部材を結束するのに好適な長さを有する結束ラベルを作成する印刷装置、印刷方法及びプログラムを提供する。【解決手段】印刷装置１は、取得部１０と、設定部１１と、印刷部１２と、作成部１３と、を備える。取得部１０は、被印刷媒体の切片であって、結束部とタグ部とを有する結束ラベルによって結束される少なくとも１つの部材の数を取得する。設定部１１は、結束部の長さである結束長を数に応じて設定することによって、結束ラベル全体の長さである結束ラベル長を設定する。印刷部１２は、印刷対象の画像を、少なくともタグ部に印刷する。作成部１３は、印刷対象の画像が印刷された被印刷媒体を結束ラベル長に応じて切断することによって、結束ラベルを作成する。【選択図】図１０
2018047645.tif 000002
【特許請求の範囲】
【請求項１】
被印刷媒体の切片であって、結束部とタグ部とを有する結束ラベルによって結束される少なくとも１つの部材の数に応じて前記結束部の長さである結束長を設定することによって、前記結束ラベル全体の長さである結束ラベル長を設定する設定手段と、
印刷対象の画像を、前記被印刷媒体に印刷する印刷手段と、
前記印刷対象の画像が印刷された前記被印刷媒体を前記結束ラベル長に応じて切断することによって、前記結束ラベルを作成する作成手段と、
を備えることを特徴とする印刷装置。
【請求項２】
被印刷媒体の切片であって、結束部とタグ部とを有する結束ラベルによって結束される少なくとも１つの部材の数に応じて前記結束部の長さである結束長を設定することによって、前記結束ラベル全体の長さである結束ラベル長を設定する設定手段と、
前記結束ラベル長に応じて、前記被印刷媒体の前記結束ラベルに対応する位置に印刷対象の画像を印刷する印刷手段と、
を備えることを特徴とする印刷装置。
【請求項３】
前記設定手段は、前記結束長を、前記部材の断面のサイズに応じて設定することを特徴とする請求項１又は２に記載の印刷装置。
【請求項４】
前記設定手段は、前記結束長を、前記結束ラベルによって結束された際における前記部材相互の位置関係に応じて設定することを特徴とする請求項１乃至３の何れか一項に記載の印刷装置。
【請求項５】
前記設定手段は、前記結束長を、前記部材の断面の形状に応じて設定することを特徴とする請求項１乃至４の何れか一項に記載の印刷装置。
【請求項６】
前記設定手段は、前記結束長を、前記部材の弾性に応じて設定することを特徴とする請求項１乃至５の何れか一項に記載の印刷装置。
【請求項７】
被印刷媒体の切片であって、結束部とタグ部とを有する結束ラベルによって結束される少なくとも１つの部材の数に応じて前記結束部の長さである結束長を設定することによって、前記結束ラベル全体の長さである結束ラベル長を設定する設定ステップと、
印刷対象の画像を、前記被印刷媒体に印刷する印刷ステップと、
前記印刷対象の画像が印刷された前記被印刷媒体を前記結束ラベル長に応じて切断することによって、前記結束ラベルを作成する作成ステップと、
を含むことを特徴とする印刷方法。
【請求項８】
被印刷媒体の切片であって、結束部とタグ部とを有する結束ラベルによって結束される少なくとも１つの部材の数に応じて前記結束部の長さである結束長を設定することによって、前記結束ラベル全体の長さである結束ラベル長を設定する設定ステップと、
前記結束ラベル長に応じて、前記被印刷媒体の前記結束ラベルに対応する位置に印刷対象の画像を印刷する印刷ステップと、
を含むことを特徴とする印刷方法。
【請求項９】
コンピュータを、
被印刷媒体の切片であって、結束部とタグ部とを有する結束ラベルによって結束される少なくとも１つの部材の数に応じて前記結束部の長さである結束長を設定することによって、前記結束ラベル全体の長さである結束ラベル長を設定する設定手段、
印刷対象の画像を、前記被印刷媒体に印刷する印刷手段、
前記印刷対象の画像が印刷された前記被印刷媒体を前記結束ラベル長に応じて切断することによって、前記結束ラベルを作成する作成手段、
として機能させることを特徴とするプログラム。
【請求項１０】
コンピュータを、
被印刷媒体の切片であって、結束部とタグ部とを有する結束ラベルによって結束される少なくとも１つの部材の数に応じて前記結束部の長さである結束長を設定することによって、前記結束ラベル全体の長さである結束ラベル長を設定する設定手段、
前記結束ラベル長に応じて、前記被印刷媒体の前記結束ラベルに対応する位置に印刷対象の画像を印刷する印刷手段、
として機能させることを特徴とするプログラム。
【発明の詳細な説明】
【技術分野】
【０００１】
本発明は、印刷装置、印刷方法及びプログラムに関する。
【背景技術】
【０００２】
部材に貼付するラベルに印刷対象の画像を印刷する印刷装置が知られている。
【０００３】
例えば、特許文献１には、ケーブルに貼付するラベルに文字列を印刷するテープ印刷装置が記載されている。
【先行技術文献】
【特許文献】
【０００４】
【特許文献１】特開２００４−１４８７５８号公報
【発明の概要】
【発明が解決しようとする課題】
【０００５】
ユーザが、少なくとも１つの部材を、印刷対象の画像が印刷されたラベルを巻き付けることによって結束する場合がある。しかしながら、特許文献１に記載されたテープ印刷装置によって文字列が印刷されたラベルで部材を結束した場合、ラベルが短すぎて部材を適切に結束できなかったり、ラベルが長すぎてラベルが浪費されてしまったりすることがあった。このため、少なくとも１つの部材を結束するのに好適な長さを有する結束ラベルを作成することが望まれていた。
【０００６】
本発明は、上記の事情に鑑みてなされたものであり、少なくとも１つの部材を結束するのに好適な長さを有する結束ラベルを作成する印刷装置、印刷方法及びプログラムを提供することを利点とする。
【課題を解決するための手段】
【０００７】
本発明に係る印刷装置は、
被印刷媒体の切片であって、結束部とタグ部とを有する結束ラベルによって結束される少なくとも１つの部材の数に応じて前記結束部の長さである結束長を設定することによって、前記結束ラベル全体の長さである結束ラベル長を設定する設定手段と、
印刷対象の画像を、前記被印刷媒体に印刷する印刷手段と、
前記印刷対象の画像が印刷された前記被印刷媒体を前記結束ラベル長に応じて切断することによって、前記結束ラベルを作成する作成手段と、
を備えることを特徴とする。
【発明の効果】
【０００８】
本発明によれば、少なくとも１つの部材を結束するのに好適な長さを有する結束ラベルを作成する印刷装置、印刷方法及びプログラムを提供できる。
【図面の簡単な説明】
【０００９】
【図１】本発明の実施形態に係る印刷装置の外観を示す図である。
【図２】結束ラベルの一例を示す図である。
【図３】結束ラベルによるコードの結束を説明するための図である。
【図４】通常ラベルの一例を示す図である。
【図５】本発明の実施形態に係る印刷装置の内部構造の一部を示す図である。
【図６】本発明の実施形態に係る印刷装置が使用するテープカセットの外観を示す図である。
【図７】本発明の実施形態に係る印刷装置の物理的構成を示す図である。
【図８】設定データの第１の例を示す図である。
【図９】（ａ）〜（ｃ）は、何れも、包囲線を示す図である。（ａ）は、２本のコードを包囲する包囲線を示す。（ｂ）は、３本のコードを包囲する包囲線を示す。（ｃ）は、４本のコードを包囲する包囲線を示す。
【図１０】本発明の実施形態に係る印刷装置の機能的構成を示す図である。
【図１１】本発明の実施形態に係る印刷装置が実行する印刷処理を説明するためのフローチャートである。
【図１２】テキスト入力画面の一例を示す図である。
【図１３】印刷方式選択画面の一例を示す図である。
【図１４】本発明の実施形態に係る印刷装置が実行する通常ラベル印刷処理を説明するためのフローチャートである。
【図１５】本発明の実施形態に係る印刷装置が実行する結束ラベル印刷処理を説明するためのフローチャートである。
【図１６】タグ長設定画面の一例を示す図である。
【図１７】コード直径設定画面の一例を示す図である。
【図１８】コード数設定画面の一例を示す図である。
【図１９】設定データの第２の例を示す図である。
【図２０】設定データの第３の例を示す図である。
【発明を実施するための形態】
【００１０】
以下、本発明の実施形態に係る印刷装置について、図面を参照しながら説明する。図中、互いに同一又は同等の構成には、互いに同一の符号を付す。
【００１１】
印刷装置１は、図１に示す外観を備え、図２及び図３に示すように結束するための結束ラベルＡや、図４に示すように平坦な箇所に貼るための通常ラベルＢを作成する。結束ラベルＡ及び通常ラベルＢは、何れも、長尺状のテープの切片であって、印刷対象の画像が印刷されている。印刷装置１は、テープに印刷対象の画像を印刷した後、このテープを切断することによって結束ラベルＡや通常ラベルＢを作成する。
【００１２】
テープは、表面が画像が印刷される印刷面であって裏面が粘着剤或いは接着剤が施されている接着面である印刷テープと、この接着面に貼付され、印刷テープから剥離可能な剥離テープと、が積層された状態で、後述するテープカセット１０５内に設けられている。また図３に示すように結束し、対象物に貼り付けられている状態では、結束ラベルＡは、剥離テープが剥離された印刷テープのみとなっている。テープは、被印刷媒体、印刷媒体又は記録媒体等と呼ばれることもある。印刷対象の画像は、印刷時にテープに描画される画像である。印刷対象の画像の具体例としては、文字、図形、記号、模様、絵、ロゴ、キャラクタ、マーク又はこれらの組み合わせ等が挙げられる。印刷対象の画像は、印刷画像又は印刷パターン等と呼ばれることもある。
【００１３】
結束ラベルＡは、少なくとも１つの部材を結束するためのラベルであり、家やビルの屋内配線等の部材をグループ分けする場合等に好適である。屋内配線には、電線やケーブル等のコードが複数使用される。屋内配線の管理及び整備の観点からすると、これらのコードは、部屋ごと、フロアごと、壁ごと又はコンセントごと等に結束してグループ分けしておくことが望ましい。このような場合、結束ラベルＡを用いることにより、コードを結束してグループ分けすると共に、各グループを識別するための情報を印刷したタグを付すことができる。以下、結束ラベルＡによって図３のコードＣを結束する場合を例に説明する。
【００１４】
結束ラベルＡは、図２に示すように、第１のタグ部Ａｓ１と、結束部Ａｔと、第２のタグ部Ａｓ２と、を有している。第１のタグ部Ａｓ１及び第２のタグ部Ａｓ２は、まとめてタグ部と呼ばれることもある。
【００１５】
結束部Ａｔは、コードＣを結束するために用いられる。すなわち、ユーザは、図３に示すように、結束部ＡｔをコードＣに巻き付けるようにして結束ラベルＡをコードＣに貼付することにより、結束ラベルＡでコードＣを結束する。結束部Ａｔには、任意の付加情報が、印刷対象の画像として印刷される。付加情報の具体例としては、結束されるコードＣに関する情報が挙げられる。図２の例では、結束されるコードＣの数を表すテキストと、結束された際におけるコードＣ相互の位置関係を表す図形と、が付加情報として印刷されている。なお、図２中、Ｌｔは、結束部Ａｔの長さである結束長を表す。印刷されるコードＣの数を表すテキストが一箇所のみの場合、コードＣを結束している結束ラベルＡを一方の方向のみから見ただけでは視認できない恐れがあるため、結束ラベルＡを貼る前又は貼った後に複数の方向からテキストを視認できるよう結束部Ａｔの長さに応じて複数のテキストを印刷することが好ましい。
【００１６】
第１のタグ部Ａｓ１及び第２のタグ部Ａｓ２には、任意のタグ情報が、印刷対象の画像としてそれぞれ印刷される。タグ情報の具体例としては、上述の屋内配線の例において、屋内配線であるコードＣを結束ラベルＡで結束してグループ分けした際に各グループに付された「部屋７」、「フロア３」、「壁１１」、「コンセント９」等の名称を表すテキスト等が挙げられる。或いは、タグ情報は、結束されるコードＣに付された「ＬＡＮケーブル」や「電源コード」等の名称を表すテキストであってもよい。以下、ユーザが入力したテキストがタグ情報として印刷される場合を例に説明する。図２の例では、テキスト「ＡＢＣＤＥ」が第１のタグ部Ａｓ１及び第２のタグ部Ａｓ２にそれぞれ印刷されている。
【００１７】
第１のタグ部Ａｓ１及び第２のタグ部Ａｓ２は、結束部Ａｔに隣接して、結束ラベルＡの長手方向端部にそれぞれ設けられている。図３に示すように結束ラベルＡでコードＣを結束すると、第１のタグ部Ａｓ１の接着面と第２のタグ部Ａｓ２の接着面とが貼り合わされ、第１のタグ部Ａｓ１及び第２のタグ部Ａｓ２が１つのタグを形成する。
【００１８】
第１のタグ部Ａｓ１の長さは、第２のタグ部Ａｓ２の長さと同一である。図２中、Ｌｓは、第１のタグ部Ａｓ１の長さであり、第２のタグ部Ａｓ２の長さでもあるタグ長を表す。また、Ｌｕは、結束ラベルＡ全体の長さである結束ラベル長を表す。以下、タグ長Ｌｓがユーザによって設定され、結束長Ｌｔ及び結束ラベル長Ｌｕが印刷装置１によって設定される場合を例に説明する。印刷装置１による結束長Ｌｔ及び結束ラベル長Ｌｕの設定については、後述する。
【００１９】
通常ラベルＢは、ファイルやＤＶＤ（Digital Versatile Disc）、ＣＤ（Compact Disc）、ゴミ箱、文房具、小物等の任意の物品に貼付して、分類整理等の目的に使用される。通常ラベルＢには、任意の印刷対象の画像が印刷される。図４の例では、テキスト「ＡＢＣＤＥ」が、印刷対象の画像として通常ラベルＢに印刷されている。図４中、Ｌｖは、通常ラベルＢ全体の長さである通常ラベル長を表す。以下、通常ラベル長Ｌｖがユーザによって設定される場合を例に説明する。
【００２０】
以下、印刷装置１の物理的構成について、図１及び図５〜図８を参照して説明する。印刷装置１は、図１に示すように、筐体１００と、キー入力部１０１と、表示部１０２と、テープ収納部１０４を塞ぐ開閉蓋１０３と、を備える。
【００２１】
筐体１００は、何れも図示しない、ＰＣ（Personal Computer）又はスマートフォン等の外部機器と接続するための入力端子と、メモリカード等の記憶媒体が挿入される挿入口と、電源コードが接続される電源端子と、を備える。
【００２２】
キー入力部１０１は、各種操作キーを備え、ユーザによる入力を受け付ける。キー入力部１０１は、入力されたデータを、後述する制御部１２４へ供給する。具体的に、キー入力部１０１は、文字入力を受け付けるための文字入力キー、入力内容を確定するための確定キー、印刷装置１の電源のオン・オフを切り換えるための電源キー、表示部１０２に表示されたカーソルを移動操作するためのカーソルキー等を備えている。
【００２３】
表示部１０２は、ＬＣＤ（Liquid Crystal Display）パネル等の表示装置を備え、各種画像を表示する。表示部１０２によって表示される画像の具体例としては、後述する各種画面、入力されたテキストを表す画像、操作及び設定のエラー等を告知する画像等が挙げられる。
【００２４】
図５に示すように、開閉蓋１０３の内側には、図６に示すテープカセット１０５を収納するためのテープ収納部１０４が形成されている。テープカセット１０５は、被印刷媒体である長尺状のテープ１１２と、インクリボン１１３と、を収納している。
【００２５】
テープ収納部１０４内には、テープ印刷機構１０６と、カセット受部１０７と、が形成されている。
【００２６】
テープ印刷機構１０６は、印刷を実行する。テープ印刷機構１０６は、縦方向に配列された発熱素子を有するサーマルヘッド１０８と、プラテンローラ１０９と、位置合わせ軸１１０と、リボン巻取軸１１１と、を備える。サーマルヘッド１０８は、テープ１１２に熱転写印刷を行う。プラテンローラ１０９は、サーマルヘッド１０８との間で図６に示すテープ１１２及びインクリボン１１３を挟み込んで、これらを搬送する。位置合わせ軸１１０は、テープカセット１０５に設けられた位置合わせ孔に係合して位置決めする。リボン巻取軸１１１は、印刷に使用したインクリボン１１３をテープカセット１０５内に巻取る。
【００２７】
カセット受部１０７は、テープカセット１０５を、予め定められた位置に支持する。
【００２８】
テープ収納部１０４には、筐体１００の外へ通じるテープ繰出部１１４が形成されている。印刷対象の画像が印刷されたテープ１１２は、テープ繰出部１１４を通じて印刷装置１の外部へ排出される。テープ繰出部１１４には、フルカット機構１１５とハーフカット機構１１６とが設けられている。フルカット機構１１５及びハーフカット機構１１６は、テープ１１２を、テープ１１２の短手方向に沿って切断する動作であるテープカットを実行する。フルカット機構１１５は、テープ１１２を形成する印刷テープと剥離テープとの両方を同一位置で切断する。ハーフカット機構１１６は、印刷テープのみを切断し、剥離テープは切断しない。
【００２９】
印刷時には、テープコア１１８に巻装されているテープ１１２及びリボン供給コア１１９に巻装されているインクリボン１１３が繰り出される。テープ１１２及びインクリボン１１３は、互いに重ね合わされた状態で、サーマルヘッド１０８とプラテンローラ１０９との間に挟み込まれて搬送される。この状態において、サーマルヘッド１０８が発熱駆動されることによって、インクリボン１１３のインクがテープ１１２へ熱転写され、印刷が実行される。印刷が済んだテープ１１２は、順次搬送され、テープ繰出部１１４から印刷装置１の外部へ排出される。印刷が終了すると、フルカット機構１１５又はハーフカット機構１１６によってテープカットが実行され、ラベルが作成される。
【００３０】
テープカセット１０５は、図６に示すように、カセットケース１１７を備える。カセットケース１１７の内部には、テープコア１１８と、リボン供給コア１１９と、リボン巻取コア１２０と、が収納されている。テープコア１１８には、テープ１１２が巻装されている。リボン供給コア１１９には、未使用のインクリボン１１３が巻装されている。リボン巻取コア１２０は、使用済みのインクリボン１１３を巻取る。また、カセットケース１１７には、テープ収納部１０４内にテープカセット１０５を収納した際にサーマルヘッド１０８が配置されるヘッド配置部１２１が設けられている。
【００３１】
カセットケース１１７の隅部には、被係合部１２２が形成されている。被係合部１２２は、テープ収納部１０４内にテープカセット１０５を収納した際に、テープ収納部１０４のカセット受部１０７と係合してカセット受部１０７によって支持される。被係合部１２２には、テープカセット１０５に収納されたテープ１１２の幅や色等の種類に応じた配置で凹凸が形成されている。
【００３２】
テープ収納部１０４は、カセット種別検出回路１２３を備えている。カセット種別検出回路１２３は、図５に示すように、テープ収納部１０４のカセット受部１０７に設けられた複数のスイッチを備えている。これらのスイッチは、テープ収納部１０４内にテープカセット１０５を収納した際に、カセットケース１１７の被係合部１２２に形成された凹凸に接触する。
【００３３】
テープ収納部１０４内にテープカセット１０５が収納されると、被係合部１２２に形成された凹凸と係合することによって、カセット種別検出回路１２３が備える複数のスイッチのうちの少なくとも一部が押下される。印刷装置１は、これに応答し、複数のスイッチのうちの何れが押下されてオン状態となったかに基づいて、テープカセット１０５に収納されたテープの幅や色等の種類を判定する。なお、テープカセット１０５が、テープの幅や色等の種類のデータが記憶されたＩＣチップを内蔵している場合、カセット種別検出回路１２３は、カセット受部１０７に設けられた複数のスイッチの代わりに、ＩＣチップに記憶されたテープの幅や色等の種類のデータを読み取るリーダが設けられていればよい。
【００３４】
印刷装置１は、図７に示すように、上述の各構成に加えて、制御部１２４と、ＲＡＭ（Random Access Memory）１２５と、フラッシュメモリ１２６と、表示駆動回路１２７、印刷駆動回路１２８と、搬送駆動回路１２９と、搬送モータ１３０と、切断駆動回路１３１と、カッターモータ１３２と、を備える。
【００３５】
制御部１２４は、ＣＰＵ（Central Processing Unit）を備え、各種処理を実行する。具体的に、制御部１２４は、フラッシュメモリ１２６に記憶されたプログラムを実行することにより、印刷装置１全体を制御する。制御部１２４は、コマンド及びデータの伝送経路であるシステムバスを介して印刷装置１の各部に接続されている。
【００３６】
ＲＡＭ１２５は、制御部１２４から供給された各種データを記憶すると共に、記憶している各種データを制御部１２４へ供給する。具体的に、ＲＡＭ１２５には、後述する入力バッファー、アトリビュートバッファー、印刷バッファー１、印刷バッファー２を含む各種記憶領域が設定され、制御部１２４から供給されたデータがこれらの記憶領域に記憶される。また、ＲＡＭ１２５は、制御部１２４のワークメモリとして機能する。すなわち、制御部１２４は、フラッシュメモリ１２６に記憶されたプログラムをＲＡＭ１２５へ読み出し、読み出されたプログラムを参照して各種処理を実行する。
【００３７】
フラッシュメモリ１２６は、制御部１２４が各種処理を実行する際に用いる各種プログラム及び各種データを記憶している。フラッシュメモリ１２６は、記憶している各種プログラム及び各種データを、制御部１２４へ供給する。具体的に、フラッシュメモリ１２６は、制御部１２４が印刷装置１全体を制御するために用いるプログラムを記憶している。また、フラッシュメモリ１２６は、表示部１０２に表示される各種画面を表示するためのデータを記憶する。また、フラッシュメモリ１２６は、制御部１２４が後述する印刷処理を実行する際に用いる各種データとして、文字、記号、ロゴ、キャラクタ、マーク等のデータ、文字フォントや文字サイズ等のデータ及び図８に示す設定データＤ１０１を記憶している。なお、フラッシュメモリ１２６は各種データ等の読み書きが可能である。以下、設定データＤ１０１について、図８及び図９を参照して説明する。
【００３８】
設定データＤ１０１は、結束長Ｌｔを設定する際に制御部１２４が参照するデータである。設定データＤ１０１には、結束ラベルＡによって結束されるコードＣの数と、演算式データと、付加データと、が互いに対応付けて格納されている。
【００３９】
演算式データは、ユーザによって予め設定された演算式であって、結束長Ｌｔを設定するための演算式を表すデータである。具体的に、設定データＤ１０１には、コードＣの数に対応付けて、結束ラベルＡによって結束された当該数のコードＣの断面を包囲する線のうちの最も短い線である包囲線の長さを結束長Ｌｔとして算出する演算式を表すデータが、演算式データとして格納されている。
【００４０】
図９に、包囲線Ｐの例を示す。図９（ａ）は、２本のコードＣを包囲する包囲線Ｐを示している。図９（ｂ）は、３本のコードＣを包囲する包囲線Ｐを示している。図９（ｃ）は、４本のコードＣを包囲する包囲線Ｐを示している。図９中において、コードＣは、包囲線Ｐの長さが最短となる配列となっている。
【００４１】
図９中、ｒはコードＣの半径を、２ｒはコードＣの直径を、それぞれ表している。包囲線Ｐの長さは、図９（ａ）〜図９（ｃ）に示すように、コードＣの直径２ｒを用いて表すことができる。この性質を利用して、設定データＤ１０１に格納された演算式データが表す演算式は、包囲線Ｐの長さをコードＣの直径２ｒを用いて表している。
【００４２】
付加データは、結束部Ａｔに印刷される付加情報を表すデータである。設定データＤ１０１では、コードＣの数を表すテキストと、結束された際におけるコードＣ相互の位置関係を表す図形と、を表すデータが、付加データとして格納されている。
【００４３】
設定データＤ１０１は、ＰＣ又はスマートフォン等の外部機器において、ユーザによる設定をキーボード等の入力手段を介して受け付けることで生成された後、筐体１００が備える入力端子又は挿入口を介して、この外部機器から印刷装置１へ取り込まれ、フラッシュメモリ１２６に格納される。
【００４４】
図７に戻って、表示駆動回路１２７は、制御部１２４による制御に従って表示部１０２を制御し、表示部１０２に各種画像を表示させる。
【００４５】
印刷駆動回路１２８は、制御部１２４による制御に従ってサーマルヘッド１０８を発熱駆動し、サーマルヘッド１０８に熱転写印刷を実行させる。
【００４６】
搬送駆動回路１２９は、制御部１２４による制御に従って搬送モータ１３０を駆動する。
【００４７】
搬送モータ１３０は、搬送駆動回路１２９による駆動に従ってプラテンローラ１０９へ動力を供給し、プラテンローラ１０９を回転させる。
【００４８】
切断駆動回路１３１は、制御部１２４による制御に従って、カッターモータ１３２を駆動する。
【００４９】
カッターモータ１３２は、切断駆動回路１３１による駆動に従って、フルカット機構１１５又はハーフカット機構１１６へ動力を供給し、フルカット機構１１５又はハーフカット機構１１６にテープカットを実行させる。
【００５０】
上述の物理的構成を備える印刷装置１は、機能的に、図１０に示すように、取得部１０と、設定部１１と、印刷部１２と、作成部１３と、を備える。制御部１２４は、フラッシュメモリ１２６に記憶されたプログラムをＲＡＭ１２５へ読み出し、実行して印刷装置１を制御することにより、これらの各部として機能する。以下、印刷装置１の各機能について説明する。
【００５１】
取得部１０は、結束ラベルＡの作成時、結束ラベルＡによって結束されるコードＣの数と断面のサイズとを取得する。具体的に、取得部１０は、コードＣの直径２ｒを、コードＣの断面のサイズとして取得する。取得部１０は、ユーザがキー入力部１０１を操作することによって設定したコードＣの数と直径２ｒとを、キー入力部１０１から取得する。
【００５２】
また、取得部１０は、結束ラベルＡの作成時、タグ長Ｌｓと、タグ部にタグ情報として印刷されるテキストと、を取得する。具体的に、取得部１０は、ユーザがキー入力部１０１を操作することによって入力したタグ長Ｌｓとテキストとを、キー入力部１０１から取得する。
【００５３】
また、取得部１０は、通常ラベルＢの作成時、通常ラベル長Ｌｖと、通常ラベルＢに印刷されるテキストと、を取得する。具体的に、取得部１０は、ユーザがキー入力部１０１を操作することによって入力した通常ラベル長Ｌｖとテキストとを、キー入力部１０１から取得する。
【００５４】
設定部１１は、取得部１０が取得したコードＣの数及び断面のサイズに応じて結束長Ｌｔを設定することによって、結束ラベル長Ｌｕを設定する。具体的に、設定部１１は、取得部１０が取得したコードＣの数に対応付けて設定データＤ１０１に格納されている演算式データを取得する。そして、設定部１１は、取得した演算式データが表す演算式に、取得部１０が取得したコードＣの直径２ｒを代入することによって、結束長Ｌｔを設定する。設定部１１は、設定した結束長Ｌｔと、取得部１０が取得したタグ長Ｌｓと、を下記の式（１）に代入することによって、結束ラベル長Ｌｕを設定する。
Ｌｕ＝２Ｌｓ＋Ｌｔ      …（１）
【００５５】
印刷部１２は、結束ラベルＡの作成時、タグ情報を第１のタグ部Ａｓ１及び第２のタグ部Ａｓ２に、付加情報を結束部Ａｔに、それぞれ印刷対象の画像として印刷する。具体的に、印刷部１２は、取得部１０が取得したテキストを、タグ情報として印刷する。また、印刷部１２は、取得部１０が取得したコードＣの数に対応付けて設定データＤ１０１に格納されている付加データを取得し、この付加データが表す付加情報を印刷する。なお、第１のタグ部Ａｓ１及び第２のタグ部Ａｓ２同士を貼り合わせる際の位置合わせのために、印刷部１２は、第１のタグ部Ａｓ１と結束部Ａｔとの境界線及び第２のタグ部Ａｓ２と結束部Ａｔとの境界線を印刷してもよい。
【００５６】
また、印刷部１２は、通常ラベルＢの作成時、取得部１０が取得したテキストを、印刷対象の画像として通常ラベルＢに印刷する。
【００５７】
作成部１３は、結束ラベルＡの作成時、印刷部１２によって印刷対象の画像が印刷された被印刷媒体であるテープ１１２を、設定部１１によって設定された結束ラベル長Ｌｕに応じて切断することによって、結束ラベルＡを作成する。具体的に、作成部１３は、フルカット機構１１５によってテープ１１２を切断することにより、結束ラベル長Ｌｕを有するテープ１１２の切片を結束ラベルＡとして作成する。なお、以下では、第１のタグ部Ａｓ１と結束部Ａｔとの境界と、第２のタグ部Ａｓ２と結束部Ａｔとの境界と、の何れにおいてもテープカットを行わない場合を例に説明する。
【００５８】
また、作成部１３は、通常ラベルＢの作成時、印刷部１２によって印刷対象の画像が印刷された被印刷媒体であるテープ１１２を、取得部１０によって取得された通常ラベル長Ｌｖに応じて切断することによって、通常ラベルＢを作成する。具体的に、作成部１３は、フルカット機構１１５によってテープ１１２を切断することにより、通常ラベル長Ｌｖを有するテープ１１２の切片を通常ラベルＢとして作成する。
【００５９】
以下、上述の物理的・機能的構成を備える印刷装置１が実行する印刷処理について、図１１に示すフローチャートを参照して説明する。
【００６０】
印刷装置１は、設定データＤ１０１を含む、制御部１２４が印刷処理を実行する際に用いる各種データを、筐体１００が備える入力端子又は挿入口を介して、ＰＣ又はスマートフォン等の外部装置から予め取り込み、フラッシュメモリ１２６に格納している。
【００６１】
この状態において、ユーザが、キー入力部１０１が備える電源キーを押下することによって印刷装置１の電源を投入すると、制御部１２４は、フラッシュメモリ１２６に記憶されているプログラムをＲＡＭ１２５へ読み出し、図１１のフローチャートに示す印刷処理を開始する。
【００６２】
印刷処理を開始すると、制御部１２４は、図１２に示すテキスト入力画面Ｗ１０１を表示部１０２に表示し（ステップＳ１０１）、印刷を所望するテキストの入力をユーザに促す。図１２は、ユーザがテキスト「ＡＢＣＤＥ」を入力した場合のテキスト入力画面Ｗ１０１を示している。
【００６３】
制御部１２４は、入力バッファーをＲＡＭ１２５に設定し（ステップＳ１０２）、テキストの入力を受け付けたか否かを判定する（ステップＳ１０３）。制御部１２４は、キー入力部１０１が備える確定キーが押下されたか否かを判定することによって、テキストの入力を受け付けたか否かを判定する。テキストの入力を受け付けていないと制御部１２４が判定すると（ステップＳ１０３；Ｎｏ）、処理はステップＳ１０３へ戻り、テキストの入力を待機する。
【００６４】
ユーザが、キー入力部１０１を操作することによってテキストを入力した後、確定キーを押下すると、制御部１２４は、これに応答して、テキストの入力を受け付けたと判定する（ステップＳ１０３；Ｙｅｓ）。取得部１０は、入力されたテキストを、ステップＳ１０２で設定した入力バッファーにASCII Code等の文字コードとして格納することによって、取得する（ステップＳ１０４）。
【００６５】
次に、制御部１２４は、文字装飾・文字サイズ設定画面を表示部１０２に表示し（ステップＳ１０５）、文字装飾・文字サイズの設定をユーザに促す。
【００６６】
制御部１２４は、文字装飾・文字サイズの設定に関するデータを格納するためのアトリビュートバッファーをＲＡＭ１２５に設定し（ステップＳ１０６）、文字装飾・文字サイズの設定を受け付けたか否かを判定する（ステップＳ１０７）。制御部１２４は、確定キーが押下されたか否かを判定することによって、文字装飾・文字サイズの設定を受け付けたか否かを判定する。文字装飾・文字サイズの設定を受け付けていないと制御部１２４が判定すると（ステップＳ１０７；Ｎｏ）、処理はステップＳ１０７へ戻り、文字装飾・文字サイズの設定を待機する。
【００６７】
ユーザが、キー入力部１０１を操作することによって文字装飾・文字サイズを設定した後、確定キーを押下すると、制御部１２４は、これに応答して、文字装飾・文字サイズの設定を受け付けたと判定する（ステップＳ１０７；Ｙｅｓ）。取得部１０は、受け付けた設定を、当該設定を表すデータをステップＳ１０６で設定したアトリビュートバッファーに格納することによって、取得する（ステップＳ１０８）。なお、文字サイズの自動設定モードにしておけば、制御部１２４が入力された文字の数、テープ幅サイズに応じて、バランスを調整した文字サイズに自動的に設定するので、ステップＳ１０４後のステップＳ１０５〜ステップＳ１０８における文字サイズの設定を省略することができる。
【００６８】
次に、制御部１２４は、図１３に示す印刷方式選択画面Ｗ１０２を表示部１０２に表示し（ステップＳ１０９）、印刷方式の選択をユーザに促す。以下、印刷装置１が、印刷方式として、結束ラベルＡの印刷を行う「結束ラベル印刷」方式と、通常ラベルＢの印刷を行う「通常ラベル印刷」方式と、のうちの何れかの選択を受け付ける場合を例に説明する。
【００６９】
印刷方式選択画面Ｗ１０２を表示した後、制御部１２４は、印刷方式の選択を受け付けたか否かを判定する（ステップＳ１１０）。制御部１２４は、確定キーが押下されたか否かを判定することによって、印刷方式の選択を受け付けたか否かを判定する。印刷方式の選択を受け付けていないと制御部１２４が判定すると（ステップＳ１１０；Ｎｏ）、処理はステップＳ１１０へ戻り、選択を待機する。
【００７０】
ユーザが、キー入力部１０１を操作することによって印刷方式を選択した後、確定キーを押下すると、制御部１２４は、これに応答して、印刷方式の選択を受け付けたと判定する（ステップＳ１１０；Ｙｅｓ）。制御部１２４は、選択された印刷方式が「結束ラベル印刷」方式と「通常ラベル印刷」方式とのうちの何れであるかを判定する（ステップＳ１１１）。なお、ステップＳ１０９〜ステップＳ１１１は、ステップＳ１０８後の代わりにステップＳ１０１の前に行ってもよい。
【００７１】
「通常ラベル印刷」方式が選択されたと判定すると（ステップＳ１１１；通常ラベル印刷）、制御部１２４は、通常ラベル印刷処理を実行する（ステップＳ１１３）。以下、ステップＳ１１３の通常ラベル印刷処理について、図１４のフローチャートを参照して説明する。
【００７２】
通常ラベル印刷処理を開始すると、制御部１２４は、通常ラベル長Ｌｖの設定を受け付けたか否かを判定する（ステップＳ２０１）。制御部１２４は、確定キーが押下されたか否かを判定することによって、通常ラベル長Ｌｖの設定を受け付けたか否かを判定する。設定を受け付けていないと判定すると（ステップＳ２０１；Ｎｏ）、処理はステップＳ２０１へ戻り、通常ラベル長Ｌｖの設定を待機する。
【００７３】
ユーザが、キー入力部１０１を操作することによって通常ラベル長Ｌｖを設定した後、確定キーを押下すると、制御部１２４は、これに応答して、通常ラベル長Ｌｖの設定を受け付けたと判定する（ステップＳ２０１；Ｙｅｓ）。取得部１０は、設定された通常ラベル長Ｌｖを取得する（ステップＳ２０２）。
【００７４】
制御部１２４は、ステップＳ２０２で取得された通常ラベル長Ｌｖに基づいて、印刷データを作成する（ステップＳ２０３）。具体的に、制御部１２４は、図１１のフローチャートのステップＳ１０４で取得したテキストに、ステップＳ１０８で取得した文字装飾・文字サイズの設定を適用することによって、テキストデータを作成する。制御部１２４は、このテキストデータの文字間隔及び余白を、このテキストデータが表すテキストを印刷した際に適切な間隔となるように調整することによって、印刷データを作成する。
【００７５】
次に、制御部１２４は、テープ１１２を、サーマルヘッド１０８とフルカット機構１１５及びハーフカット機構１１６との間の距離分だけ搬送し（ステップＳ２０４）、フルカット機構１１５によってテープカットを行う（ステップＳ２０５）。これにより、サーマルヘッド１０８とフルカット機構１１５及びハーフカット機構１１６との間にあるテープ１１２が、印刷装置１の外部へ排出される。サーマルヘッド１０８とフルカット機構１１５及びハーフカット機構１１６との間には、前回の印刷処理において印刷対象の画像が印刷されたテープ１１２が残っている可能性がある。制御部１２４は、ステップＳ２０４及びＳ２０５の処理を行うことによって、印刷対象の画像が印刷済みのテープ１１２にテキストが印刷されてしまう不具合を防止する。ステップＳ２０４及びＳ２０５の処理は、ステップＳ２０６の印刷を実行する前の準備動作に相当する。
【００７６】
印刷部１２は、ステップＳ２０３で作成した印刷データに従って印刷を実行する（ステップＳ２０６）。作成部１３は、フルカット機構１１５によってテープカットを行う（ステップＳ２０７）ことによって通常ラベルＢを作成し、通常ラベル印刷処理を終了する。
【００７７】
図１１のフローチャートに戻って、ステップＳ１１３の通常ラベル印刷処理を実行した後、制御部１２４は、印刷処理を終了する。
【００７８】
上述したとおり、「通常ラベル印刷」方式が選択されたと判定すると（ステップＳ１１１；通常ラベル印刷）、制御部１２４は、通常ラベル印刷処理を実行する（ステップＳ１１３）。一方、「結束ラベル印刷」方式が選択されたと判定すると（ステップＳ１１１；結束ラベル印刷）、制御部１２４は、結束ラベル印刷処理を実行する（ステップＳ１１２）。以下、ステップＳ１１２の結束ラベル印刷処理について、図１５のフローチャートを参照して説明する。
【００７９】
結束ラベル印刷処理を開始すると、制御部１２４は、図１６に示すタグ長設定画面Ｗ１０３を表示部１０２に表示し（ステップＳ３０１）、タグ長Ｌｓの設定をユーザに促す。制御部１２４は、タグ長Ｌｓの設定を受け付けたか否かを判定する（ステップＳ３０２）。制御部１２４は、確定キーが押下されたか否かを判定することによって、タグ長Ｌｓの設定を受け付けたか否かを判定する。設定を受け付けていないと制御部１２４が判定すると（ステップＳ３０２；Ｎｏ）、処理はステップＳ３０２へ戻り、タグ長Ｌｓの設定を待機する。
【００８０】
ユーザが、キー入力部１０１を操作することによってタグ長Ｌｓを設定した後、確定キーを押下すると、制御部１２４は、これに応答して、タグ長Ｌｓの設定を受け付けたと判定する（ステップＳ３０２；Ｙｅｓ）。取得部１０は、設定されたタグ長Ｌｓを取得する（ステップＳ３０３）。なお、タグ長Ｌｓの自動設定モードにしておけば、制御部１２４が入力された文字の数、テープ幅サイズに応じて、バランスを調整したタグ長に自動的に設定するので、ステップＳ３０１、Ｓ３０２を省略することができる。また、タグ長Ｌｓの自動設定モードは、文字サイズの自動設定モードのオン、オフと連動してオン、オフ設定されていてもよい。
【００８１】
次に、制御部１２４は、図１７に示すコード直径設定画面Ｗ１０４を表示部１０２に表示し（ステップＳ３０４）、結束ラベルＡによって結束するコードＣの直径２ｒの設定をユーザに促す。制御部１２４は、直径２ｒの設定を受け付けたか否かを判定する（ステップＳ３０５）。制御部１２４は、確定キーが押下されたか否かを判定することによって、直径２ｒの設定を受け付けたか否かを判定する。設定を受け付けていないと制御部１２４が判定すると（ステップＳ３０５；Ｎｏ）、処理はステップＳ３０５へ戻り、直径２ｒの設定を待機する。
【００８２】
ユーザが、キー入力部１０１を操作することによって直径２ｒを設定した後、確定キーを押下すると、制御部１２４は、これに応答して、直径２ｒの設定を受け付けたと判定する（ステップＳ３０５；Ｙｅｓ）。取得部１０は、設定された直径２ｒを取得する（ステップＳ３０６）。
【００８３】
次に、制御部１２４は、図１８に示すコード数設定画面Ｗ１０５を表示部１０２に表示し（ステップＳ３０７）、結束ラベルＡによって結束するコードＣの数の設定をユーザに促す。制御部１２４は、数の設定を受け付けたか否かを判定する（ステップＳ３０８）。制御部１２４は、確定キーが押下されたか否かを判定することによって、数の設定を受け付けたか否かを判定する。設定を受け付けていないと制御部１２４が判定すると（ステップＳ３０８；Ｎｏ）、処理はステップＳ３０８へ戻り、数の設定を待機する。
【００８４】
ユーザが、キー入力部１０１を操作することによって数を設定した後、確定キーを押下すると、制御部１２４は、これに応答して、数の設定を受け付けたと判定する（ステップＳ３０８；Ｙｅｓ）。取得部１０は、設定された数を取得する（ステップＳ３０９）。
【００８５】
制御部１２４は、タグ情報を表す印刷データを作成し、ＲＡＭ１２５に設定された印刷バッファー１に展開する（ステップＳ３１０）。具体的に、制御部１２４は、図１１のフローチャートのステップＳ１０４で取得したテキストに、ステップＳ１０８で取得した文字装飾・文字サイズの設定を適用することによって、テキストデータを作成する。制御部１２４は、このテキストデータの文字間隔及び余白を、このテキストデータが表すテキストを印刷した際にステップＳ３０３で取得されたタグ長Ｌｓに収まるように調整することによって、タグ情報を表す印刷データを作成する。
【００８６】
次に、設定部１１が、ステップＳ３０９で取得されたコードＣの数に対応付けて設定データＤ１０１に格納されている演算式データを取得する（ステップＳ３１１）。設定部１１は、ステップＳ３１１で取得した演算式データが表す演算式に、ステップＳ３０６で取得されたコードＣの直径２ｒを代入することによって、結束長Ｌｔを設定する（ステップＳ３１２）。
【００８７】
次に、設定部１１は、ステップＳ３０３で取得されたタグ長Ｌｓと、ステップＳ３１２で設定された結束長Ｌｔと、を上記の式（１）へ代入することによって、結束ラベル長Ｌｕを設定する（ステップＳ３１３）。
【００８８】
次に、印刷部１２が、ステップＳ３０９で取得されたコードＣの数に対応付けて設定データＤ１０１に格納されている付加データを取得する（ステップＳ３１４）。
【００８９】
制御部１２４は、ステップＳ３１４で取得された付加データに基づいて、付加情報を表す印刷データを作成し、ＲＡＭ１２５に設定された印刷バッファー２に展開する（ステップＳ３１５）。具体的に、制御部１２４は、付加データが表す付加情報の印刷サイズを、この付加情報を印刷した際にステップＳ３１２で設定された結束長Ｌｔに収まるように調整することによって、付加情報を表す印刷データを作成する。
【００９０】
制御部１２４は、ステップＳ３１８〜Ｓ３２０の印刷を実行する前の準備動作として、テープ１１２を、サーマルヘッド１０８とフルカット機構１１５及びハーフカット機構１１６との間の距離分だけ搬送し（ステップＳ３１６）、フルカット機構１１５によってテープカットを行う（ステップＳ３１７）。
【００９１】
次に、印刷部１２が、印刷バッファー１に展開された印刷データに従って、タグ情報を第１のタグ部Ａｓ１に印刷する（ステップＳ３１８）。印刷部１２は、印刷バッファー２に展開された印刷データに従って、付加情報を結束部Ａｔに印刷する（ステップＳ３１９）。印刷部１２は、印刷バッファー１に展開された印刷データに従って、タグ情報を第２のタグ部Ａｓ２に印刷する（ステップＳ３２０）。
【００９２】
次に、作成部１３が、フルカット機構１１５によってテープカットを行い、ステップＳ３１３で設定された結束ラベル長Ｌｕを有する切片を、結束ラベルＡとして作成して（ステップＳ３２１）、結束ラベル印刷処理を終了する。
【００９３】
図１１のフローチャートに戻って、ステップＳ１１２の結束ラベル印刷処理を実行した後、制御部１２４は、印刷処理を終了する。
【００９４】
以上説明したとおり、印刷装置１は、結束ラベルＡによって結束されるコードＣの数に応じて結束長Ｌｔ及び結束ラベル長Ｌｕを設定し、結束ラベルＡを作成する。このため、結束ラベルＡでコードＣを結束した場合において、結束ラベルＡが短すぎてコードＣを適切に結束できなかったり、結束ラベルＡが長すぎてテープ１１２が浪費されてしまったりすることを抑制できる。すなわち、印刷装置１は、少なくとも１つの部材を結束するのに好適な長さを有する結束ラベルＡを作成できる。
【００９５】
以上に本発明の実施形態について説明したが、上記実施形態は一例であり、本発明の適用範囲はこれに限られない。すなわち、本発明の実施形態は種々の応用が可能であり、あらゆる実施の形態が本発明の範囲に含まれる。
【００９６】
例えば、上記実施形態において、印刷装置１がコードＣの数とコードＣの断面のサイズとに応じて結束長Ｌｔを設定する場合を例に説明したが、これは一例に過ぎない。
【００９７】
印刷装置１は、コードＣの数のみに応じて結束長Ｌｔを設定することもできる。この場合、取得部１０が、コードＣの数を取得し、設定部１１は、図８に示す設定データＤ１０１の代わりに図１９に示す設定データＤ１０２を参照して、結束長Ｌｔを設定する。
【００９８】
設定データＤ１０２には、コードＣの数に対応付けて、当該数のコードＣを結束するのに好適な、予め設定された長さを結束長Ｌｔとして算出する演算式を表すデータが、演算式データとして格納されている。なお、各数のコードＣを結束するのに好適な長さは、実験等の任意の手法によって設定すればよい。例えば、一般的に使用されている断面のサイズのコードＣについて、各数のコードＣを様々な結束長Ｌｔを有する結束ラベルＡで結束することによって好適な長さを設定すればよい。
【００９９】
設定部１１は、取得部１０が取得したコードＣの数に対応付けて設定データＤ１０２に格納されている演算データが表す演算式に従って、この演算式が示す予め設定された長さを結束長Ｌｔとして設定する。
【０１００】
以上説明したように、印刷装置１は、コードＣの数のみに応じて結束長Ｌｔを設定できる。この形態によれば、ユーザが断面のサイズを知らない場合であっても、コードＣを結束するのに好適な長さを有する結束ラベルＡを作成できる。また、ユーザが断面のサイズを設定する必要が無いことから、ユーザによる断面のサイズの設定を必要とする上記実施形態に比べて簡易な操作によって、コードＣを結束するのに好適な長さを有する結束ラベルＡを作成できる。
【０１０１】
また、印刷装置１は、コードＣの数及び断面のサイズ以外の要素も参酌して結束長Ｌｔを設定することもできる。例えば、印刷装置１は、コードＣの数及び断面のサイズと共に、コードＣの断面の形状、結束ラベルＡで結束された際におけるコードＣ相互の位置関係及びコードＣの弾性に応じて結束長Ｌｔを設定することができる。
【０１０２】
コードＣを結束するのに好適な長さが、コードＣの断面の形状及び結束された際におけるコードＣ相互の位置関係に依存することは、自明である。コードＣを結束するのに好適な長さは、コードＣの弾性にも依存する。柔らかいコードＣを結束ラベルＡによって結束した場合、結束後にコードＣが収縮し、結束が緩んでしまうことがある。結束が緩むことを抑制するには、結束の際に、柔らかいコードＣほど結束ラベルＡを食い込ませて強く結束する必要がある。このため、印刷装置１は、コードＣが柔らかいほど結束長Ｌｔを短く設定することが望ましい。
【０１０３】
具体的に、取得部１０は、ユーザがキー入力部１０１を操作することによって設定したコードＣの断面の形状、結束ラベルＡで結束された際におけるコードＣ相互の位置関係及びコードＣの弾性を取得し、設定部１１が、図２０に示す設定データＤ１０３を参照することによって、断面の形状、相互の位置関係及び弾性に応じて結束長Ｌｔを設定する。以下、コードＣの断面の形状が正方形であるとき、取得部１０が、この正方形の一辺の長さＭを、コードＣの断面のサイズとして取得する場合を例に説明する。また、以下、取得部１０が、コードＣが「硬い」、「普通」又は「柔らかい」の何れに分類されるかを示すデータをコードＣの弾性として取得する場合を例に説明する。
【０１０４】
設定データＤ１０３には、コードＣの数と、コードＣの断面の形状と、結束された際におけるコードＣ相互の位置関係と、コードＣの弾性と、演算式データと、付加データと、が互いに対応付けて格納されている。
【０１０５】
設定データＤ１０３では、コードＣの断面の形状として、円形と正方形とが設定されている。コードＣの断面の形状が略円形の場合、相互の位置関係等の特定の条件下では、図８に示すように、結束長ＬｔはコードＣの直径２ｒとπを用いて表すことができる。πは固定値なので、コードの半径或いは直径を入力するだけで、設定部１１は、結束長Ｌｔを自動的に演算することができる。なお、これは一例に過ぎず、六角形や楕円等の任意の形状をコードＣの断面の形状として設定できる。
【０１０６】
設定データＤ１０３では、結束された際におけるコードＣ相互の位置関係として、三角形と直線とが設定されている。なお、これは一例に過ぎず、六角形や八角形等の任意の形状を相互の位置関係として設定できる。
【０１０７】
設定データＤ１０３では、コードＣの弾性として、コードＣが「硬い」、「普通」又は「柔らかい」の何れに分類されるかを示すデータが設定されている。なお、これは一例に過ぎず、弾性係数等の弾性を表す任意の情報をコードＣの弾性として設定できる。
【０１０８】
設定データＤ１０３では、包囲線Ｐの長さから予め設定された調整値を減算した長さを結束長Ｌｔとして算出する演算式と、調整値を示す演算式と、を表すデータが、演算式データとして格納されている。なお、図２０中、Ｍは、コードＣの断面の形状である正方形の一辺の長さを表す。調整値は、図２０に示すように、コードＣが柔らかいほど大きく設定されている。調整値は、実験等の任意の手法によって予め設定される。例えば、様々な弾性のコードＣを、包囲線Ｐの長さから様々な値を減算した長さの結束長Ｌｔを有する結束ラベルＡで結束することによって、コードＣの弾性と、適切な結束長Ｌｔと、包囲線Ｐの長さから減算される値と、の相関関係を求めることにより、調整値を設定すればよい。なお、調整値は、定数ではなく、弾性係数等のコードＣの弾性を示す数値に従って変化する変数であってもよい。この場合、コードＣの弾性を示す数値に基づいて調整値を算出するための演算式が、演算データとして設定データＤ１０３に格納される。
【０１０９】
設定データＤ１０３では、コードＣの数を表すテキストを表すデータが、付加データとして格納されている。
【０１１０】
設定部１１は、取得部１０が取得したコードＣの数、断面の形状、相互の位置関係及び弾性に対応付けて設定データＤ１０３に格納されている演算データを取得する。そして、設定部１１は、取得した演算式が表す演算式に、取得部１０が取得したコードＣの断面のサイズを代入することによって、結束長Ｌｔを設定する。
【０１１１】
以上説明したように、印刷装置１は、コードＣの数及び断面のサイズと共に、コードＣの断面の形状、結束ラベルＡで結束された際におけるコードＣ相互の位置関係及びコードＣの弾性を参酌して結束長Ｌｔを設定できる。この形態によれば、コードＣの数及び断面のサイズのみに応じて結束長Ｌｔを設定する場合に比べて、結束長Ｌｔをより適切に設定できる。なお、コードＣの数と共に、断面のサイズ、断面の形状、相互の位置関係及び弾性のうちの何れか１つ、２つ又は３つの要素を参酌して結束長Ｌｔを設定してもよい。
【０１１２】
また、上記実施形態では、印刷装置１が、包囲線Ｐの長さを結束長Ｌｔとして設定する場合を例に説明したが、これは一例に過ぎない。印刷装置１は、予め設定された調整値を包囲線Ｐの長さから減算した長さや、予め設定された調整値を包囲線Ｐの長さに加算した長さを、結束長Ｌｔとして設定してもよい。包囲線Ｐの長さから調整値を減算することによって、コードＣの弾性に応じた好適な結束長Ｌｔを設定する例については、上述した。これに加え、印刷装置１は、包囲線Ｐの長さに調整値を加算することによって、コードＣ同士の隙間に結束ラベルＡが入り込んで貼付されること等をも考慮し、適切な結束長Ｌｔを設定できる。包囲線Ｐの長さに加算される調整値は、実験等の任意の手法によって、予め設定される。例えば、コードＣを、包囲線Ｐの長さに様々な値を加算した結束長Ｌｔの結束ラベルＡによって、この結束ラベルＡがコード同士の隙間に入り込むように結束し、適切な結束長Ｌｔと、包囲線Ｐに加算される値と、の間の相関関係を求めることによって、調整値を設定すればよい。
【０１１３】
また、上記実施形態において、結束ラベルＡによって結束される部材が、コードＣである場合を例に説明したが、これは一例に過ぎず、結束ラベルＡは、任意の部材を結束できる。例えば、結束ラベルＡは、鉛筆等の文房具や、木材等の建築部材等を結束することもできる。
【０１１４】
また、上記実施形態において、コードＣ同士を結束する場合を例に説明したが、これは一例に過ぎず、結束ラベルＡは、文房具とコードＣや、建築部材とコードＣ等、互いに種類の異なる部材同士を結束してもよい。また、コードＣ同士を結束する場合において、ＬＡＮ（Local Area Network）ケーブルと電源コード等、互いに異なる種類のコードＣ同士を結束してもよい。
【０１１５】
また、上記実施形態において、結束ラベルＡによって結束されるコードＣの断面のサイズが互いに同一である場合を例に説明したが、これは一例に過ぎず、コードＣの断面のサイズは、互いに異なっていてもよい。
【０１１６】
また、上記実施形態において、結束ラベルＡによって結束されるコードＣの断面の形状が互いに同一である場合を例に説明したが、これは一例に過ぎず、コードＣの断面の形状は、互いに異なっていてもよい。
【０１１７】
また、上記実施形態において、印刷装置１が、印刷を実行するサーマルヘッド１０８とテープ１１２をテープカットするフルカット機構１１５及びハーフカット機構１１６とを自ら備える場合を例に説明したが、これは一例に過ぎない。印刷装置１は、自らはサーマルヘッド１０８、フルカット機構１１５及びハーフカット機構１１６を備えず、サーマルヘッド１０８、フルカット機構１１５及びハーフカット機構１１６を備える外部の印刷機器に無線通信又は有線通信によって制御コマンドを送信することによってこの印刷機器を制御するＰＣ又はスマートフォン等の情報処理装置であってもよい。この場合、印刷装置１は、上述の印刷機器が備えるサーマルヘッド１０８を制御することによって印刷部１２を実現すると共に、印刷機器が備えるフルカット機構１１５及びハーフカット機構１１６を制御することによって作成部１３を実現する。
【０１１８】
また、上記実施形態において、ユーザがタグ長Ｌｓを設定する場合を例に説明したが、これは一例に過ぎず、印刷装置１がタグ長Ｌｓを設定してもよい。この場合、ユーザがキー入力部１０１を操作することによって、タグ情報として印刷するテキストを入力し、文字装飾・文字サイズを設定すると、印刷装置１は、入力されたテキストに設定された文字装飾・文字サイズを適用したテキストを印刷するために必要なタグ長Ｌｓを設定する。なお、この形態によれば、タグ長Ｌｓ、結束長Ｌｔ及び結束ラベル長Ｌｕの全てを印刷装置１が設定することとなる。
【０１１９】
また、上記実施形態において、ユーザが通常ラベル長Ｌｖを設定する場合を例に説明したが、これは一例に過ぎず、印刷装置１が通常ラベル長Ｌｖを設定してもよい。この場合、ユーザがキー入力部１０１を操作することによって、通常ラベルＢに印刷するテキストを入力し、文字装飾・文字サイズを設定すると、印刷装置１は、入力されたテキストに設定された文字装飾・文字サイズを適用したテキストを印刷するために必要な通常ラベル長Ｌｖを設定する。
【０１２０】
また、上記実施形態において、印刷装置１が、コードＣの断面のサイズを、ユーザによるキー入力部１０１を用いた設定を受け付けることによって取得する場合を例に説明したが、これは一例に過ぎず、印刷装置１は、任意の方法によって断面のサイズを取得できる。例えば、印刷装置１は、コードＣの断面のサイズを測定する測定手段を備え、この測定手段による測定の結果を取得することによって、断面のサイズを取得することができる。また、印刷装置１は、コードＣを識別するための識別情報と各識別情報が示すコードＣの断面のサイズとを互いに対応付けて予め記憶しておき、ユーザがキー入力部１０１を操作することによりコードＣの識別情報を入力すると、これに応答して、入力された識別情報に対応付けて記憶している断面のサイズを取得することとしてもよい。コードＣの識別情報の具体例としては、コードＣの型番等が挙げられる。これらの方法によれば、印刷装置１は、コードＣの断面のサイズをユーザが知らない場合であっても、断面のサイズを測定したり、コードＣの識別情報の入力を受け付けたりすることによって、断面のサイズを取得できる。なお、同様の方法によって、上述したコードＣの断面の形状、弾性及び結束された際における相互の位置関係も取得できる。
【０１２１】
また、上記実施形態において、印刷装置１が、コードＣの断面のサイズとしてコードＣの直径２ｒを取得する場合を例に説明したが、これは一例に過ぎず、印刷装置１は、コードＣの断面のサイズを表す任意の情報を、コードＣの断面のサイズとして取得できる。例えば、印刷装置１は、コードＣの断面積を、コードＣの断面のサイズとして取得してもよい。
【０１２２】
また、上記実施形態において、印刷装置１は、タグ情報として印刷されるテキスト、コードＣの数及びコードＣの直径２ｒを、ユーザによるキー入力部１０１を用いた入力・設定を受け付けることによって取得した。しかし、これは一例に過ぎず、印刷装置１は、任意の方法によって上述の情報を取得できる。例えば、ユーザは、文字、記号、ロゴ、キャラクタ、マーク等のデータを予め記憶しているＰＣ又はスマートフォン等の外部装置が備えるキーボード等の入力手段を操作することによって上述の情報を入力・設定し、印刷装置１は、入力・設定された情報を、当該外部装置から、筐体１００が備える入力端子又は挿入口を介して取得することができる。
【０１２３】
また、上記実施形態において、フルカット機構１１５及びハーフカット機構１１６が、カッターモータ１３２が供給する動力に従ってテープカットを実行する場合を例に説明したが、これは一例に過ぎず、フルカット機構１１５及びハーフカット機構１１６は、ユーザによる手動操作に従ってテープカットを実行してもよい。
【０１２４】
また、上記実施形態において、印刷装置１が、サーマルヘッド１０８を用いた熱転写印刷を行う場合を例に説明したが、これは一例に過ぎず、印刷装置１は、任意の方法で印刷を実行できる。例えば、印刷装置１は、インクを吐出するインクジェットヘッドを備え、このインクジェットヘッドを用いたインクジェット印刷を行ってもよい。
【０１２５】
また、上記実施形態において、印刷装置１が、ユーザが入力したテキストをタグ情報として印刷する場合を例に説明したが、これは一例に過ぎず、印刷装置１は、図形、記号、模様、絵、ロゴ、キャラクタ、マーク又はこれらの組み合わせ等の、テキスト以外の任意の印刷対象の画像を、タグ情報として印刷することもできる。
【０１２６】
また、上記実施形態において、印刷装置１が、結束部Ａｔに付加情報を印刷する場合を例に説明したが、これは一例に過ぎず、結束部Ａｔには付加情報を印刷しなくてもよい。
【０１２７】
また、上記実施形態において、印刷装置１が、結束ラベルＡによって結束されるコードＣの数を表すテキストと、結束された際におけるコードＣ相互の位置関係を表す図形と、を付加情報として結束部Ａｔに印刷する場合を例に説明した。しかし、これは一例に過ぎず、印刷装置１は、任意の印刷対象の画像を付加情報として印刷できる。
【０１２８】
また、上記実施形態において、印刷装置１が、第１のタグ部Ａｓ１にタグ情報として印刷した印刷対象の画像と同一の画像を、第２のタグ部Ａｓ２にタグ情報として印刷する場合を例に説明したが、これは一例に過ぎない。印刷装置１は、第１のタグ部Ａｓ１に印刷した印刷対象の画像と異なる画像を、第２のタグ部Ａｓ２に印刷してもよい。例えば、印刷装置１は、第１のタグ部Ａｓ１に印刷した印刷対象の画像を左右反転又は上下反転した画像を、第２のタグ部Ａｓ２に印刷してもよい。
【０１２９】
また、上記実施形態において、印刷装置１が、第１のタグ部Ａｓ１と第２のタグ部Ａｓ２とにタグ情報を印刷する場合を例に説明したが、これは一例に過ぎず、印刷装置１は、第１のタグ部Ａｓ１と第２のタグ部Ａｓ２とのうちの何れか一方のみにタグ情報を印刷してもよい。
【０１３０】
また、上記実施形態において、第１のタグ部Ａｓ１と結束部Ａｔとの境界と、第２のタグ部Ａｓ２と結束部Ａｔとの境界と、の何れにおいてもテープカットを行わない場合を例に説明したが、これは一例に過ぎない。印刷装置１は、第１のタグ部Ａｓ１と結束部Ａｔとの境界と、第２のタグ部Ａｓ２と結束部Ａｔとの境界と、のうちの少なくとも何れか一方において、ハーフカット機構１１６によるテープカットを行うこともできる。
【０１３１】
また、上記実施形態では、結束されるコードＣの数に関わらず、同様の態様の付加情報を印刷する場合を例に説明したが、これは一例に過ぎない。印刷装置１は、結束されるコードＣの数に応じて異なる態様の付加情報を、結束部Ａｔに印刷してもよい。結束されるコードＣの数が少ないときに、結束部Ａｔが短すぎて、比較的大きな印刷スペースを必要とする図形等を付加情報として印刷することが困難な場合がある。このような場合において、結束されるコードＣの数が多いときには図形等を付加情報として印刷する一方、結束されるコードの数が少ないときには比較的小さな印刷スペースで印刷できるテキスト等を付加情報として印刷すればよい。この形態によれば、結束されるコードＣの数に応じて、付加情報を適切に印刷できる。
【０１３２】
また、上記実施形態では、タグ部に印刷する印刷データを印刷バッファー１に、結束部Ａｔに印刷する印刷データを印刷バッファー２に、それぞれ展開する場合を例に説明したが、これは一例に過ぎない。印刷装置１は、タグ部に印刷する印刷データと、結束部Ａｔに印刷する印刷データと、を含むデータを作成し、単一の印刷バッファーに展開してもよい。この場合、当該データは、第１のタグ部Ａｓ１と結束部Ａｔとの境界と、第２のタグ部Ａｓ２と結束部Ａｔとの境界と、において、それぞれ、ハーフカット機構１１６によってテープ１１２をテープカットするのか、それとも、テープカットを行わないのかを示す情報を含んでいてもよい。
【０１３３】
なお、本発明に係る機能を実現するための構成を予め備えた印刷装置として提供できることはもとより、プログラムの適用により、既存の情報処理装置等を、本発明に係る印刷装置として機能させることもできる。すなわち、本発明に係る印刷装置の各機能構成を実現させるためのプログラムを、既存の情報処理装置等を制御するＣＰＵ等が実行できるように適用することで、当該既存の情報処理装置等を本発明に係る印刷装置として機能させることができる。
【０１３４】
なお、このようなプログラムの適用方法は任意である。プログラムを、例えば、フレキシブルディスク、ＣＤ（Compact Disc）−ＲＯＭ、ＤＶＤ（Digital Versatile Disc）−ＲＯＭ、メモリカード等のコンピュータ読み取り可能な記憶媒体に格納して適用できる。さらに、プログラムを搬送波に重畳し、インターネットなどの通信媒体を介して適用することもできる。例えば、通信ネットワーク上の掲示板（ＢＢＳ：Bulletin Board System）にプログラムを掲示して配信してもよい。そして、このプログラムを起動し、ＯＳ（Operating System）の制御下で、他のアプリケーションプログラムと同様に実行することにより、上記の処理を実行できるように構成してもよい。
【０１３５】
以上、本発明の好ましい実施形態について説明したが、本発明は係る特定の実施形態に限定されるものではなく、本発明には、特許請求の範囲に記載された発明とその均等の範囲とが含まれる。以下に、本願出願の当初の特許請求の範囲に記載された発明を付記する。
【０１３６】
（付記１）
被印刷媒体の切片であって、結束部とタグ部とを有する結束ラベルによって結束される少なくとも１つの部材の数に応じて前記結束部の長さである結束長を設定することによって、前記結束ラベル全体の長さである結束ラベル長を設定する設定手段と、
印刷対象の画像を、前記被印刷媒体に印刷する印刷手段と、
前記印刷対象の画像が印刷された前記被印刷媒体を前記結束ラベル長に応じて切断することによって、前記結束ラベルを作成する作成手段と、
を備えることを特徴とする印刷装置。
【０１３７】
（付記２）
被印刷媒体の切片であって、結束部とタグ部とを有する結束ラベルによって結束される少なくとも１つの部材の数に応じて前記結束部の長さである結束長を設定することによって、前記結束ラベル全体の長さである結束ラベル長を設定する設定手段と、
前記結束ラベル長に応じて、前記被印刷媒体の前記結束ラベルに対応する位置に印刷対象の画像を印刷する印刷手段と、
を備えることを特徴とする印刷装置。
【０１３８】
（付記３）
前記設定手段は、前記結束長を、前記部材の断面のサイズに応じて設定することを特徴とする付記１又は２に記載の印刷装置。
【０１３９】
（付記４）
前記設定手段は、前記結束長を、前記結束ラベルによって結束された際における前記部材相互の位置関係に応じて設定することを特徴とする付記１乃至３の何れか一つに記載の印刷装置。
【０１４０】
（付記５）
前記設定手段は、前記結束長を、前記部材の断面の形状に応じて設定することを特徴とする付記１乃至４の何れか一つに記載の印刷装置。
【０１４１】
（付記６）
前記設定手段は、前記結束長を、前記部材の弾性に応じて設定することを特徴とする付記１乃至５の何れか一つに記載の印刷装置。
【０１４２】
（付記７）
被印刷媒体の切片であって、結束部とタグ部とを有する結束ラベルによって結束される少なくとも１つの部材の数に応じて前記結束部の長さである結束長を設定することによって、前記結束ラベル全体の長さである結束ラベル長を設定する設定ステップと、
印刷対象の画像を、前記被印刷媒体に印刷する印刷ステップと、
前記印刷対象の画像が印刷された前記被印刷媒体を前記結束ラベル長に応じて切断することによって、前記結束ラベルを作成する作成ステップと、
を含むことを特徴とする印刷方法。
【０１４３】
（付記８）
被印刷媒体の切片であって、結束部とタグ部とを有する結束ラベルによって結束される少なくとも１つの部材の数に応じて前記結束部の長さである結束長を設定することによって、前記結束ラベル全体の長さである結束ラベル長を設定する設定ステップと、
前記結束ラベル長に応じて、前記被印刷媒体の前記結束ラベルに対応する位置に印刷対象の画像を印刷する印刷ステップと、
を含むことを特徴とする印刷方法。
【０１４４】
（付記９）
コンピュータを、
被印刷媒体の切片であって、結束部とタグ部とを有する結束ラベルによって結束される少なくとも１つの部材の数に応じて前記結束部の長さである結束長を設定することによって、前記結束ラベル全体の長さである結束ラベル長を設定する設定手段、
印刷対象の画像を、前記被印刷媒体に印刷する印刷手段、
前記印刷対象の画像が印刷された前記被印刷媒体を前記結束ラベル長に応じて切断することによって、前記結束ラベルを作成する作成手段、
として機能させることを特徴とするプログラム。
【０１４５】
（付記１０）
コンピュータを、
被印刷媒体の切片であって、結束部とタグ部とを有する結束ラベルによって結束される少なくとも１つの部材の数に応じて前記結束部の長さである結束長を設定することによって、前記結束ラベル全体の長さである結束ラベル長を設定する設定手段、
前記結束ラベル長に応じて、前記被印刷媒体の前記結束ラベルに対応する位置に印刷対象の画像を印刷する印刷手段、
として機能させることを特徴とするプログラム。
【符号の説明】
【０１４６】
１…印刷装置、１０…取得部、１１…設定部、１２…印刷部、１３…作成部、１００…筐体、１０１…キー入力部、１０２…表示部、１０３…開閉蓋、１０４…テープ収納部、１０５…テープカセット、１０６…テープ印刷機構、１０７…カセット受部、１０８…サーマルヘッド、１０９…プラテンローラ、１１０…位置合わせ軸、１１１…リボン巻取軸、１１２…テープ、１１３…インクリボン、１１４…テープ繰出部、１１５…フルカット機構、１１６…ハーフカット機構、１１７…カセットケース、１１８…テープコア、１１９…リボン供給コア、１２０…リボン巻取コア、１２１…ヘッド配置部、１２２…被係合部、１２３…カセット種別検出回路、１２４…制御部、１２５…ＲＡＭ、１２６…フラッシュメモリ、１２７…表示駆動回路、１２８…印刷駆動回路、１２９…搬送駆動回路、１３０…搬送モータ、１３１…切断駆動回路、１３２…カッターモータ、Ａ…結束ラベル、Ａｓ１…第１のタグ部、Ａｓ２…第２のタグ部、Ａｔ…結束部、Ｂ…通常ラベル、Ｃ…コード、Ｄ１０１，Ｄ１０２，Ｄ１０３…設定データ、Ｌｓ…タグ長、Ｌｔ…結束長、Ｌｕ…結束ラベル長、Ｌｖ…通常ラベル長、Ｍ…一辺の長さ、Ｐ…包囲線、ｒ…コードの半径、Ｗ１０１…テキスト入力画面、Ｗ１０２…印刷方式選択画面、Ｗ１０３…タグ長設定画面、Ｗ１０４…コード直径設定画面、Ｗ１０５…コード数設定画面
【図１】
2018047645.tif 000003
【図２】
2018047645.tif 000004
【図３】
2018047645.tif 000005
【図４】
2018047645.tif 000006
【図５】
2018047645.tif 000007
【図６】
2018047645.tif 000008
【図７】
2018047645.tif 000009
【図８】
2018047645.tif 000010
【図９】
2018047645.tif 000011
【図１０】
2018047645.tif 000012
【図１１】
2018047645.tif 000013
【図１２】
2018047645.tif 000014
【図１３】
2018047645.tif 000015
【図１４】
2018047645.tif 000016
【図１５】
2018047645.tif 000017
【図１６】
2018047645.tif 000018
【図１７】
2018047645.tif 000019
【図１８】
2018047645.tif 000020
【図１９】
2018047645.tif 000021
【図２０】
2018047645.tif 000022